(57)【要約】本発明による携帯型電子装置は、車両充電装置に接続して使用する場合、自動撮影モードに即時に進入して、撮影された映像データを映像データベースに蓄積する自動撮影機能を備えている。したがって、ユーザーが別途操作をしなくても、撮影映像を簡便に録画することができるため、使用便宜性を増大すると同時に、交通事故のようなイベントの発生時、客観的な資料として活用できる証拠映像を確保することができるという効果がある。また、充電と共に自動に外部状況を撮影・蓄積するため、ユーザーの不注意に効果的に対処することができて、且つ、自動撮影機能を具現するための構成が簡単であるという長所がある。【選択図】図２
2008512743.tif 000002
【特許請求の範囲】
【請求項１】
車両充電装置を通じて端末バッテリーの充電が可能であり、映像を撮影するための撮像部を備えた携帯型電子装置において、
前記携帯型電子装置は、
前記撮像部を通じて撮影された映像データを蓄積するための映像データベースと、
前記撮像部が撮影する映像データを前記映像データベースに蓄積及び管理する映像制御部と、
車両始動キーの操作により車両発電機が稼働するにつれて、前記車両充電装置を通じて充電される電源に含まれた電源ノイズのレベルを検出し、車両が運行されているか否かを判断して伝送する電圧検出部と、
前記電圧検出部から伝送された信号により、前記撮像部を駆動させて、撮影された映像データを蓄積するように、前記映像制御部を制御するメイン制御部と、
を含むことを特徴とする、自動撮影の可能な携帯型電子装置。
【請求項２】
前記電圧検出部は、
前記端末バッテリー側で電源ノイズを検出するノイズ検出部と、
前記ノイズ検出部により検出された電源ノイズの電圧レベルと、予め設定された基準電圧レベルとを比較し、その比較結果により、車両が運行されているか否かを判断するマイコンと、
を含むことを特徴とする、請求項１に記載の自動撮影の可能な携帯型電子装置。
【請求項３】
前記ノイズ検出部は、
前記端末バッテリー側の電源から直流成分を遮断し、電源ノイズ成分を出力する遮断部と、
前記遮断部から出力する電源ノイズ成分を増幅する増幅部と、
前記増幅部により増幅された電源ノイズ成分を直流に変換する変換部と、
前記変換部により直流に変換された電源ノイズ成分を平滑させて出力する平滑部と、
を含むことを特徴とする、請求項２に記載の自動撮影の可能な携帯型電子装置。
【請求項４】
前記携帯型電子装置は、衝撃を感知して、前記メイン制御部に信号を送る衝撃感知部をさらに含み、
前記映像データベースは、全体映像データを蓄積するための第１の蓄積部と、前記衝撃感知部から衝撃感知信号が入力された時に映像データを蓄積する第２の蓄積部とを備えて、
前記メイン制御部は、前記衝撃感知部を通じて感知された信号が、予め設定された条件に符合する場合、前記第１の蓄積部に蓄積される映像データの中から、予め設定された条件に符合する映像データの一部を読み出し、前記第２の蓄積部に蓄積するように制御することを特徴とする、請求項１に記載の自動撮影の可能な携帯型電子装置。
【請求項５】
前記第１の蓄積部に蓄積される映像データの中で、予め設定された条件に符合する映像データの一部は、前記衝撃感知部を通じて衝撃信号が入力された時刻を基準に、予め設定された時間だけ以前の映像データから、所定時間以後までの映像データであるか、あるいは、前記衝撃感知部を通じて衝撃信号が入力された時刻を基準に、予め設定された時間だけ以前の映像データから、衝撃が止まった時間までの映像データであることを特徴とする、請求項４に記載の自動撮影の可能な携帯型電子装置。
【請求項６】
前記携帯型電子装置の入力部には、イベント発生を手動で入力するためのイベントキーが設けられて、
前記映像データベースは、全体映像データを蓄積するための第１の蓄積部と、前記イベントキーから信号が入力された時に映像データを蓄積する第２の蓄積部を備えて、
前記メイン制御部は、前記イベントキーを通じて信号が入力される場合、前記第１の蓄積部に蓄積される映像データの中から、予め設定された条件に符合する映像データの一部を読み出し、前記第２の蓄積部に蓄積するように制御することを特徴とする、請求項１に記載の自動撮影の可能な携帯型電子装置。
【請求項７】
前記第１の蓄積部に蓄積される映像データの中で、予め設定された条件に符合する映像データの一部は、前記イベントキーを通じて手動信号が入力された時刻を基準に、予め設定された時間だけ以前の映像データから、所定時間以後までの映像データであるか、あるいは、前記イベントキーを通じて手動信号が入力された時刻を基準に、予め設定された時間だけ以前の映像データから、前記イベントキーを通じての手動信号が入力された時間までの映像データであることを特徴とする、請求項６に記載の自動撮影の可能な携帯型電子装置。
【請求項８】
前記映像制御部は、前記撮像部が撮影する映像データを前記映像データベースに蓄積及び管理するが、蓄積容量の超過時には、先に蓄積された映像データを削除し、以後撮影された映像データを前記映像データベースに蓄積する先入先出制御を行うことを特徴とする、請求項１に記載の自動撮影の可能な携帯型電子装置。
【請求項９】
車両充電装置を通じて端末バッテリーの充電が可能であり、映像を撮影するための撮像部を備えた携帯型電子装置において、前記携帯型電子装置は、
前記撮像部を通じて撮影された映像データを蓄積するための映像データベースと、
前記撮像部が撮影する映像データを前記映像データベースに蓄積及び管理する映像制御部と、
車両始動キーの操作により車両発電機が稼働するにつれて、前記車両充電装置を通じて充電される電源に含まれた電源ノイズの電圧レベルを検出する電圧検出部と、
前記電圧検出部で検出された電源ノイズの電圧レベルにより、車両が運行されているか否かを判断し、車両が運行中であると判断されると、前記撮像部を駆動させて、撮影される映像データを蓄積するように、前記映像制御部を制御するメイン制御部と、
を含むことを特徴とする、自動撮影の可能な携帯型電子装置。
【請求項１０】
前記電圧検出部は、
前記端末バッテリー側の電源から直流成分を遮断し、電源ノイズ成分を出力する遮断部と、
前記遮断部から出力する電源ノイズ成分を増幅する増幅部と、
前記増幅部により増幅された電源ノイズ成分を直流に変換する変換部と、
前記変換部により直流に変換された電源ノイズ成分を平滑させて出力する平滑部と、
を含むことを特徴とする、請求項９に記載の自動撮影の可能な携帯型電子装置。
【請求項１１】
前記メイン制御部は、前記電圧検出部で検出された電源ノイズの電圧レベルと、予め設定された電圧レベルとを比較し、その比較結果により、車両が運行されているか否かを判断するマイコンを含むことを特徴とする、請求項９または１０に記載の自動撮影の可能な携帯型電子装置。
【請求項１２】
前記映像制御部は、前記撮像部が撮影する映像データを前記映像データベースに蓄積及び管理するが、蓄積容量の超過時には、先に蓄積された映像データを削除して、以後撮影された映像データを前記映像データベースに蓄積する先入先出制御を行うことを特徴とする請求項９に記載の自動撮影の可能な携帯型電子装置。
【請求項１３】
車両充電装置を通じて端末バッテリーの充電が可能であり、映像を撮影するための撮像部を備えた携帯型電子装置において、前記携帯型電子装置は、
前記撮像部を通じて撮影された映像データを蓄積するための映像データベースと、
前記車両充電装置から車両電源を提供してもらうための複数のバッテリー端子を備えた端末バッテリーと、
前記複数のバッテリー端子間の電圧レベルを検出するための端子電圧検出器と、
前記端子電圧検出器を通じて検出された端子電圧レベルにより、前記車両充電装置に前記端末バッテリーが接続された状態を判断して、前記端末バッテリーが接続された場合、前記撮像部を作動させて、撮影した映像を前記映像データベースに蓄積する制御部と、
を含むことを特徴とする、自動撮影の可能な携帯型電子装置。
【請求項１４】
前記端子電圧検出器は、前記複数のバッテリー端子間の電圧を分圧するための分圧抵抗を含むことを特徴とする、請求項１３に記載の自動撮影の可能な携帯型電子装置。
【請求項１５】
前記制御部は、前記分圧抵抗により分圧された電圧により、前記複数のバッテリー端子間の電圧レベルを認識することを特徴とする、請求項１４に記載の自動撮影の可能な携帯型電子装置。
【請求項１６】
車両充電装置と接続して使用可能な携帯型電子装置において、前記携帯型電子装置は、
充電されていた電源を提供する端末バッテリーと、
前記車両充電装置と前記端末バッテリー側との電気接続により、接続状態電圧を出力する検出部と、
前記端末バッテリーの充電電源を提供されて、映像を撮影するための撮像部と、
前記撮像部を通じて撮影された映像データを蓄積するための映像データベースと、
前記検出部で検出された接続状態電圧と、設定された基準電圧とを比較し、前記車両充電装置と前記端末バッテリーとの電気接続を認識して、電気接続された場合は、前記撮像部を作動させて、撮影した映像データを前記映像データベースに蓄積する自動撮影モードを設定し、電気接続が遮断された場合は、前記撮像部の作動を中断して、映像データの蓄積を中断させる制御部と、
を含むことを特徴とする自動撮影の可能な携帯型電子装置。
【請求項１７】
前記検出部は、前記端末バッテリー側と前記車両充電装置側とにそれぞれ設けられ、前記接続状態電圧を出力するための検出端子と、前記検出端子に連結する抵抗とを含み、前記車両充電装置から提供する車両電源に独立的に前記接続状態電圧を出力することを特徴とする、請求項１６に記載の自動撮影の可能な携帯型電子装置。
【発明の詳細な説明】
【技術分野】
【０００１】
本発明は、携帯型電子装置に関するもので、さらに詳細には、端末バッテリーを充電する場合、撮影を行って、周辺状況、特に、車両運行による周辺状況を容易に撮影・蓄積できるようにした自動撮影の可能な携帯型電子装置に関するものである。
【背景技術】
【０００２】
最近、技術が発展するにつれて、携帯電話またはＰＤＡのような携帯型電子装置にはカメラが取り付けられており、このカメラを通じて静止画及び動画を撮影・蓄積して、これを外部に出力できるように構成されている。
【０００３】
従来、カメラ付き携帯型電子装置は、ユーザーがカメラ撮影モードを選択することにより映像を撮影することができ、携帯型電子装置に備えられたメモリーの容量だけ撮影データを蓄積することができる。
【発明の開示】
【発明が解決しようとする課題】
【０００４】
しかしながら、このような携帯型電子装置では、撮影をするためには、キーまたはボタンを数回操作し、撮影命令を入力しなければならない。また、メモリー容量分の撮影後には、既存撮影されたイメージを削除しないと、追加に撮影・蓄積できないという短所があって、これにより単純撮影のみを行うだけで、多様な形態の撮影モードを支援するには限界がある。
【０００５】
また、通常的にカメラ撮影モードでは、電力の消耗がかなり大きいため、長時間撮影を行う場合、従来の移動通信端末の本然の機能（無線通話機能）を行うことができないという短所があって、これに対する対策が求められる。
【０００６】
本発明は、このような目的を解決するためのもので、本発明の目的は、携帯型電子装置が車両電源のような外部電源を通じて充電される場合、自動に映像撮影モードを実行させて映像データを蓄積することにより、容易にブラックボックス機能を具現できるようにした自動撮影の可能な携帯型電子装置を提供することである。
【０００７】
また、本発明の他の目的は、携帯型電子装置のメモリーに映像データを先入先出方式で蓄積することにより、限定された容量内で持続的なデータ蓄積が可能になるようにした自動撮影の可能な携帯型電子装置を提供することである。
【課題を解決するための手段】
【０００８】
このような目的を達成するための本発明は、車両充電装置を通じて端末バッテリーの充電が可能であり、映像を撮影するための撮像部を備えた携帯型電子装置において、前記携帯型電子装置は、前記撮像部を通じて撮影された映像データを蓄積するための映像データベースと、前記撮像部が撮影する映像データを前記映像データベースに蓄積及び管理する映像制御部と、車両始動キーの操作により車両発電機が稼働するにつれて、前記車両充電装置を通じて充電される電源に含まれた電源ノイズのレベルを検出し、車両が運行されているか否かを判断して伝送する電圧検出部と、前記電圧検出部から伝送された信号により、前記撮像部を駆動させて、撮影された映像データを蓄積するように、前記映像制御部を制御するメイン制御部と、を含むことを特徴とする。
【０００９】
また、本発明は、車両充電装置を通じて端末バッテリーの充電が可能であり、映像を撮影するための撮像部を備えた携帯型電子装置において、前記携帯型電子装置は、前記撮像部を通じて撮影された映像データを蓄積するための映像データベースと、前記撮像部が撮影する映像データを前記映像データベースに蓄積及び管理する映像制御部と、車両始動キーの操作により車両発電機が稼働するにつれて、前記車両充電装置を通じて充電される電源に含まれた電源ノイズの電圧レベルを検出する電圧検出部と、前記電圧検出部で検出された電源ノイズの電圧レベルにより、車両が運行されているか否かを判断し、その判断結果により、前記撮像部を駆動させて、撮影される映像データを蓄積するように、前記映像制御部を制御するメイン制御部と、を含むことを特徴とする。
【００１０】
また、本発明は、車両充電装置を通じて端末バッテリーの充電が可能であり、映像を撮影するための撮像部を備えた携帯型電子装置において、前記携帯型電子装置は、前記撮像部を通じて撮影された映像データを蓄積するための映像データベースと、前記車両充電装置から車両電源を提供してもらうための複数のバッテリー端子を備えた端末バッテリーと、前記複数のバッテリー端子間の電圧レベルを検出するための端子電圧検出器と、前記端子電圧検出器を通じて検出された端子電圧レベルにより、前記車両充電装置に前記端末バッテリーが接続された状態を判断して、前記端末バッテリーが接続された場合、前記撮像部を作動させて、撮影した映像を前記映像データベースに蓄積する制御部と、を含むことを特徴とする。
【００１１】
また、本発明は、車両充電装置と接続して使用可能な携帯型電子装置において、前記携帯型電子装置は、充電されていた電源を提供する端末バッテリーと、前記車両充電装置と前記端末バッテリー側との電気接続により、接続状態電圧を出力する検出部と、前記端末バッテリーの充電電源を提供されて、映像を撮影するための撮像部と、前記撮像部を通じて撮影された映像データを蓄積するための映像データベースと、前記検出部で検出された接続状態電圧と、設定された基準電圧とを比較し、前記車両充電装置と前記端末バッテリーとの電気接続を認識して、電気接続された場合は、前記撮像部を作動させて、撮影した映像データを前記映像データベースに蓄積する自動撮影モードを設定し、電気接続が遮断された場合は、前記撮像部の作動を中断して、映像データの蓄積を中断させる制御部と、を含むことを特徴とする。
【００１２】
したがって、携帯型電子装置では、自動撮影モードに転換されると同時に撮影映像を蓄積することができて、証拠映像を漏れなく確保することができる作用効果があり、また、ユーザーが命令を追加的に入力しなくても、撮影モードが自動実行されるため、使用便宜性をさらに増大することができるという長所がある。また、携帯型電子装置において、自動撮影モードを具現するための構成が簡単で、その製造コストを著しく減らすことができるという作用効果がある。
【発明の効果】
【００１３】
本発明に係る自動撮影の可能な携帯型電子装置によると、車両充電装置に接続させることにより、充電と共に、撮影モードに進入し、自動に外部状況を撮影して、接続が解除されると、撮影モードを解除し、撮影データを永久蓄積するようになる。
【発明を実施するための最良の形態】
【００１４】
以下、本発明による好ましい実施の形態について、図面を参照し詳細に説明する。
【００１５】
自動車エンジンルームに装着された車両発電機を稼動する場合、車両バッテリーから車両電源を充電することができる。そして、車両バッテリーにより充電された車両電源は、室内ランプ、車両に取り付けられた携帯型電子装置の充電装置のような各種電気負荷に提供される。
【００１６】
即ち、発電機の稼動により、車両バッテリーから提供される車両電源は、直接影響を受ける。特に、車両電源に含まれた電源ノイズの電圧レベルは、発電機の稼動状態で、一定レベルより高く、発電機を稼動していない状態で、一定レベルより低い。
【００１７】
このような点に着眼して、本発明の第１の実施の形態に係る自動撮影の可能な携帯型電子装置は、図１に示したように、車両内の充電装置２００に接続されると、車両電源の電源ノイズの電圧レベルにより、車両が運行されているか否かを判断し、その判断により、移動通信端末の撮像部の駆動を制御することを特徴とする。
【００１８】
このような本発明の第１の実施の形態による携帯型電子装置は、図２に示したように、全体動作を制御するためのメイン制御部２０と、ユーザーから所定の命令を入力される入力部１０と、移動通信網と無線通信を行うための無線通信部６０と、映像を撮影するための撮像部３０と、この撮像部３０を通じて撮影される映像をイメージまたは動画として映像データベース８０に蓄積・管理する映像制御部７０と、移動通信端末制御のためのプログラム及びデータを蓄積するためのメモリー４０を備えている。
【００１９】
そして、本発明の第１の実施の形態による携帯型電子装置は、端末バッテリー１００電圧を監視し、現在の電圧状態をメイン制御部２０伝送するだけではなく、充電状態を監視して、その情報をメイン制御部２０に提供する電圧検出部９０と、衝撃や振動を検出する衝撃感知部５０と、入力部１０に設けられ、ユーザーが任意の映像を別途蓄積しようとする場合、手動操作を可能にするイベントキー１１とを備える。
【００２０】
このような構成を有する本発明の第１の実施の形態による携帯型電子装置は、電圧検出部９０から伝送される情報により、撮像部３０を通じて現在の外部状況を撮影し、それに対する撮影データを映像データベース８０に蓄積・管理する所定のブラックボックス動作を行うことができる。
【００２１】
このために、電圧検出部９０は、携帯型電子装置が車両用充電装置２００に接続され、端末バッテリー１００を充電している状態であると判断されると、充電開始信号をメイン制御部２０に伝送する。そして、メイン制御部２０は、充電開始信号を受信して映像制御部７０を制御し、撮影（イメージまたは動画）を開示する。
【００２２】
この際、映像制御部７０は、撮影された映像データの蓄積時、先入先出（ＦＩＦＯ）方式により映像データベース８０を制御するように構成される。このような映像データベース８０は、蓄積容量の超過時、先に蓄積された映像データを削除して、以後撮影される映像データを蓄積することにより、連続的な撮影・蓄積を行うことができる。
【００２３】
このような映像データベース８０は、全体の映像データを蓄積するための第１の蓄積部８１と、衝撃感知部５０で衝撃や振動が検出されるかまたはイベントキー１１が動作された時に、映像制御部７０の制御により、該当映像データを読み出して蓄積するための第２の蓄積部８２を備える。したがって、映像制御部７０では、映像データを映像データベース８０の第１の蓄積部８１に先入先出方式で蓄積するようになる。そして、衝撃感知部５０を通じて所定の衝撃や振動が感知されて、予め設定された条件に符合されるか、ユーザーが手動でイベントキー１１を操作すると、メイン制御部２０の制御により、衝撃や振動が感知された時点（または、手動でイベントキー１１が動作された時点）の映像データを第２の蓄積部８２に蓄積するようになる。
【００２４】
このような条件は、衝撃または振動による信号が、予め設定された時間を超過して持続的に検出される場合、または衝撃感知部５０を通じて検出された信号の強度が基準値以上である場合、あるいは手動でイベントキー１１が動作された場合などであり、ユーザーにより設定を変更することもできる。
【００２５】
また、第２の蓄積部８２には、第１の蓄積部８１から、上記のような条件による信号が検出された時刻を基準に、予め設定された時間だけ以前の映像データから、所定時間以後までの映像データ、あるいは、上記のような条件による信号が検出された時刻を基準に、予め設定された時間だけ以前の映像データから、衝撃または振動が止まった時間までの映像データを抽出して蓄積するようになる。
【００２６】
一方、電圧検出部９０は、車両用充電装置２００に接続されている携帯型電子装置が充電装置２００から分離されたのかを検出して、携帯型電子装置が充電装置２００から分離されたと判断されると、充電終了信号をメイン制御部２０に伝送する機能をする。したがって、メイン制御部２０は、充電終了信号を受信し、映像制御部７０を制御して、現在の撮影を中断する。
【００２７】
このような電圧検出部９０により、携帯型電子装置と充電装置との接続状態を判断する過程は、図２と図３を参照して説明する。
【００２８】
まず、始動キー３００をオンして、車両発電機３１０を稼動させると、車両バッテリー３２０に電源が充電される。そして、車両バッテリー３２０の電源が車両に装着された充電装置２００に供給される。このような車両充電装置２００に携帯型電子装置を接続すると、端末バッテリー１００には、車両充電装置２００から所定の電圧が印加されて、充電が開始される。
【００２９】
そして、端末バッテリー１００の電圧を監視する電圧検出部９０は、電源ノイズにより、車両が運行中の状態で車両充電装置２００を通じて充電が進行されていることを認知できるように構成されている。
【００３０】
即ち、電圧検出部９０は、端末バッテリー１００から出力する車両電源の電源ノイズを検出する電源ノイズ検出部９１と、この電源ノイズ検出部９１により検出された電源ノイズの電圧レベルと予め設定された基準電圧レベルとを比較し、車両の運行状態を判断するマイコン９２とを備えている。マイコン９２の代わりに、メイン制御部２０が同一な機能を行うように構成することもできる。
【００３１】
図４を参照すると、電源ノイズ検出部９１は、遮断部９１ａと、増幅部９１ｂと、変換部９１ｃと、平滑部９１ｄとから構成されるが、各構成の詳細な機能は、次のようである。
【００３２】
まず、遮断部９１ａは、端末バッテリー１００から出力する車両電源（発電機３１０が稼動され、車両バッテリー３２０電源を供給されて出力される車両充電装置２００側電源）から直流成分を遮断して、電源ノイズ成分を出力し、キャパシタＣ１と抵抗Ｒ１１、そしてダイオードＤ１、Ｄ２から構成される。
【００３３】
増幅部９１ｂは、遮断部９１ａから出力する電源ノイズ成分を増幅して、演算増幅器ＯＰ１，ＯＰ２、抵抗Ｒ１２，Ｒ１３，Ｒ１４，Ｒ１５から構成される。演算増幅器ＯＰ１は、バッファー動作をして、演算増幅器ＯＰ２は、増幅作用する。
【００３４】
そして、変換部９１ｃは、増幅部９１ｂにより増幅された電源ノイズ成分を直流に変換して、演算増幅器ＯＰ３、抵抗Ｒ１６，Ｒ１７，Ｒ１８，Ｒ１９、ダイオードＤ３，Ｄ４から構成される。
【００３５】
また、平滑部９１ｄは、変換部９１ｃにより直流に変換された電源ノイズ成分を平滑して、マイコン９２に出力し、演算増幅器ＯＰ４、抵抗Ｒ２０、Ｒ２１、及びキャパシタＣ２、Ｃ３から構成される。
【００３６】
このような構成により、電圧検出部９０では、電源ノイズ成分を検出して、現在端末バッテリー１００が充電されることを認知するようになる。そして、電圧検出部９０は、充電開始信号をメイン制御部２０に伝送して、メイン制御部２０は、映像制御部７０を制御して撮影モードを開始するようになる。
【００３７】
即ち、車両の発電機３１０が稼動されつつ、車両バッテリー３２０から出力される電源により端末バッテリー１００が充電されて、このような車両電源を通じて充電が進行されつつ、端末バッテリー１００から出力される電源には、図５に示された信号Ｓ１のように、直流成分を含む。このような直流成分は、遮断部９１ａのキャパシタＣ１により直流成分が遮断される。
【００３８】
そして、図６に示された信号Ｓ２は、車両電源から直流成分が遮断されて残った電源ノイズ成分を示す。即ち、遮断部９１ａから出力する電源ノイズ成分は、その強度が微弱であるため、増幅部９１ｂで所定の比率で増幅し、この際、増幅された信号は、図７の信号Ｓ３として現れる。
【００３９】
次いで、増幅された電源ノイズ成分は、変換部９１ｃに印加されて、変換部９１ｃは、入力信号を反転し、一定レベルの直流成分を含むようにして、図８の信号Ｓ４のように変換する。変換部９１ｃにより直流に変換された信号は、平滑部９１ｄを経て平滑された図９の信号Ｓ５のような検出信号をマイコン９２に印加する。
【００４０】
これにより、マイコン９２は、電源ノイズ検出部９１により検出された検出信号、即ち、電源ノイズの電圧レベルにより、車両が運行されているかどうかを判断すると共に、車両バッテリー３２０を通じて充電されるかどうかを判断する。即ち、車両内部に装着された車両充電装置２００を通じて移動通信端末が充電されているかどうかを判断する。
【００４１】
そして、図１０に示したように、車両始動をオフした場合は、マイコン９２に入力される電源ノイズの電圧レベルＶ１は、基準電圧レベルＶｆより低い。この時、マイコン９２では、車両運行が中止された状態と判断し、それによる信号をメイン制御部２０に伝送する。次いで、メイン制御部２０では、映像制御部７０を制御し、現在の撮影モード中止する。
【００４２】
また、車両充電装置２００から携帯型電子装置が分離されると、充電装置２００から電圧が印加されないため、電源ノイズ成分が検出されない。これにより、電圧検出部９０では、端末バッテリー１００の充電が中止されたことを判断し、それによる信号をメイン制御部２０に伝送する。次いで、メイン制御部２０は、映像制御部７０を制御して、現在の撮影モードを中止する。
【００４３】
このような本発明の第１の実施の形態による携帯型電子装置は、電圧検出部９０から伝送される情報にしたがって、充電と同時に、撮像部３０を通じて車両の周辺状況を撮影して、それに対する撮影映像データを映像データベース８０に蓄積/管理する所定のブラックボックス動作を行うが、これに対しては、後述する動作及び効果の説明で詳しく述べる。
【００４４】
以下では、このように構成された本発明の第１の実施の形態による携帯型電子装置の制御動作過程を図１１を参照して説明する。
【００４５】
まず、携帯型電子装置の電圧検出部９０では、現在の端末バッテリー１００の電圧を検出して、充電状態を判断し、それによる情報をメイン制御部２０に伝送する（Ｓ４００）。
【００４６】
メイン制御部２０では、電圧検出部９０から伝送される情報を受信して、車両バッテリー３２０電源を供給される車両充電装置２００と接続されているかどうかを判断する（Ｓ４１０）。
【００４７】
段階Ｓ４１０で、車両充電装置２００と接続されていないと判断されると、メイン制御部２０では、映像制御部７０を制御して、撮影モードを解除する（Ｓ４１１）。
【００４８】
また、段階Ｓ４１０で、携帯型電子装置が、運行中の車両の車両バッテリー３２０電源を供給される車両充電装置２００と接続されて、充電が進行されていると判断されると（Ｓ４２０）、携帯型電子装置の映像制御部７０では、撮像部３０がオンされているかを判断する（Ｓ４３０）、段階Ｓ４３０で、撮像部３０がオンされていないと判断されると、撮像部３０を駆動する（Ｓ４３１）。
【００４９】
撮像部３０が駆動すると、ここでは、現在の映像を撮影して映像制御部７０に伝送する。これにより、映像制御部７０は、予め設定された手順により撮像部３０から伝送された映像データを処理する（Ｓ４４０）。段階Ｓ４４０で、映像制御部７０は、撮像部３０から伝送される映像を、予め設定された情報に従って、フレーム数を調整することができる。
【００５０】
次いで、映像制御部７０では、映像データを映像データベース８０の第１の蓄積部８１に蓄積する（Ｓ４５０）。この時、映像制御部７０では、映像データを先入先出（ＦＩＦＯ）方式により蓄積制御する。
【００５１】
一方、メイン制御部２０では、車両運行中にイベントが発生するかを判断する（Ｓ４６０）。段階Ｓ４６０において、イベントは、２つに区分されるが、第一は、衝撃感知部５０を通じて所定の衝撃または振動が感知される場合であり、第二は、入力部１０を通じてイベントキー１１入力がなされる場合である。
【００５２】
段階Ｓ４６０で、衝撃感知部５０を通じて衝撃または振動が検出されると判断されると、メイン制御部２０では、現在衝撃感知部５０を通じて検出された信号が予め設定された時間を超過し持続的に検出されるかどうか、または衝撃感知部５０を通じて検出された信号の強度が基準値以上であるかどうかを判断する（Ｓ４７０）。しかし、段階Ｓ４６０で、イベントキー１１などを通じて、イベント入力がなされた場合は、前記段階Ｓ４７０を省略することができる。
【００５３】
段階Ｓ４７０で、条件に符合すると判断されると、メイン制御部２０では、映像制御部７０を制御する。これにより、映像制御部７０は、現在第１の蓄積部８１に蓄積されている映像データの中から、予め設定された条件に符合するデータを読み出し、第２の蓄積部８２に蓄積する（Ｓ４８０）。
【００５４】
段階Ｓ４８０における予め設定された条件は、 現在の時刻を基準に、予め設定された時間だけ以前の映像データから、所定時間以後までの映像データであるか、あるいは、現在の時刻を基準に、予め設定された時間だけ以前の映像データから、イベント条件が解除された時点、即ち、衝撃または振動が止まった時間、または入力部１０を通じたイベント解除入力があった時点までの映像データであって、これもまたユーザーにより変更可能である。
【００５５】
このような過程の進行中に電圧検出部９０では、端末バッテリー１００電圧を持続的に測定する。そして、車両充電装置２００と分離されたのかを判断し、分離されたと判断されると、電圧検出部９０は、それによる信号をメイン制御部２０に伝送する。そして、メイン制御部２０は、撮影モードを終了する。
【００５６】
このような本発明の第１の実施の形態では、始動のかかった車両において、車両バッテリー３２０を通じて電源が入力される車両充電装置２００を通じて携帯型電子装置の充電が進行されると、充電と同時に、自動に外部状況を撮影するようになる。そして、撮影された映像データは、映像データベース８０に自動蓄積されて、交通事故の発生時、客観的な資料として活用することができる。そして、携帯型電子装置が事故衝撃またはユーザーの意図により車両充電装置２００から分離されると、撮影モードが自動的に中止されて、それまで撮影された映像データは、第１の蓄積部８１に蓄積された状態に維持される。
【００５７】
一方、本発明の第１の実施の形態では、電圧検出部９０で、端末バッテリー１００側から出力される電源に含まれた電源ノイズの電圧レベルを通じて、車両が運行されているかどうかを判断すると記述したが、これに限定されるものではなく、電圧検出部９０では、端末バッテリー１００側から出力される電源に含まれた電源ノイズ電圧レベルのみを検出して、メイン制御部２０で車両が運行されているかどうかを判断するように構成しても、本発明の目的を達成することができることは、明らかである。
【００５８】
また、本発明の第１の実施の形態では、電圧検出部９０が、端末バッテリー１００から出力される電源ノイズを検出するノイズ検出部９１と、このノイズ検出部９１により検出された電源ノイズの電圧レベルと予め設定された基準電圧レベルとを比較するマイコン９２とを全部含むと記述したが、これに限定されるものではなく、電圧レベルを比較するマイコン９２をメイン制御部２０に構成してもよいことは、明らかである。
【００５９】
以下では、本発明の第２の実施の形態による携帯型電子装置の構成及び作用効果を図１２〜１３を参照し、詳細に説明する。本発明の第２の実施の形態による携帯型電子装置の構成の説明において、第１の実施の形態と同一な構成については、同一符号を付して、簡略に記述する。
【００６０】
まず、上述したように、車両バッテリーにより充電された車両電源は、携帯型電子装置と接続されて、端末バッテリーを充電するための車両充電装置のような各種電気負荷に提供される。この時、移動通信端末の端末バッテリー側に備えられた複数のバッテリー端子は、車両充電装置の充電端子に接続されることにより、充電が進行される。
【００６１】
即ち、移動通信端末を車両充電装置に接続する場合、複数のバッテリー端子に車両電源が供給される。次いで、バッテリー端子に充電装置から充電電源が供給されると、端子間の電圧レベルが高くなり、バッテリー端子に充電装置からの充電電源が供給されないと、端子間の電圧レベルが低い。
【００６２】
このような点に着眼して、本発明の第２の実施の形態による携帯型電子装置は、端末バッテリーの複数のバッテリー端子の電圧レベルにより、車両内の充電装置に接続した状態を判断して、その判断にしたがって撮像部の駆動を制御するようになる。
【００６３】
このために、本発明の第２の実施の形態による携帯型電子装置は、図１２に示したように、全体動作を制御するためのメイン制御部２０と、ユーザーから所定の命令を入力される入力部１０と、移動通信網と無線通信を行うための無線通信部６０と、映像を撮影するための撮像部３０と、この撮像部３０を通じて撮影される映像をイメージまたは動画として映像データベース８０に蓄積/管理する映像制御部７０と、移動通信端末制御のためのプログラム及びデータを蓄積するためのメモリー４０と、端末バッテリー１００の複数のバッテリー端子の端子電圧レベルをメイン制御部２０に出力するための端子電圧検出器５００とを特徴的に備える。
【００６４】
また、本発明の第２の実施の形態による携帯型電子装置は、衝撃や振動を検出する衝撃感知部５０と、入力部１０に設けられ、任意の映像を別途蓄積したい場合に手動で操作できるイベントキー１１とをさらに備える。
【００６５】
このような構成を有する本発明の第２の実施の形態による携帯型電子装置は、端子電圧検出器５００に検出された端子電圧レベルにより撮像部３０を自動に作動させて、この撮像部３０を通じて現在の外部状況を撮影し、それに対する撮影データを映像データベース８０に蓄積/管理する所定のブラックボックス動作を行うように構成されている。
【００６６】
また、図１３に示したように、端末バッテリー１００は、実際電源が充電される充電バッテリー１１と、複数のバッテリー端子１２０、１３０、１４０を備えている。そして、車両充電装置２００は、充電部２１０と複数の充電端子２２０、２３０、２４０を備える。したがって、本発明の第２の実施の形態による携帯型電子装置を充電装置２００と接続させると、端末バッテリー１００の各バッテリー端子１２０、１３０、１４０は、充電装置２００の充電端子２２０、２３０、２４０とそれぞれ電気的に接続される。
【００６７】
この際、車両充電装置２００の充電部２１０は、車両バッテリー３２０から提供される車両電源を電源端子２２０と接地端子２４０とを通じて出力し、端末バッテリー１００の充電バッテリー１１０は、電源端子１２０と接地端子１４０とを通じて充電電源を提供され、充電がなされるようになる。そして、充電バッテリー１１０では、電源端子１２０と接地端子１４０との間の端子電圧Ｖｔが、車両充電装置の充電部２１０と接続されていない状態（基準値）より高くなる。このようなバッテリー端子の端子電圧レベルは、後述した端子電圧検出器５００により検出されて、検出された端子電圧レベルは、メイン制御部２０に提供される。
【００６８】
一方、端子電圧検出器５００は、図１３に示したように、端末バッテリー１００側に電気的に連結する第１の分圧抵抗Ｒ１と、充電装置２００側に電気的に連結される第２の分圧抵抗Ｒ２とを備えて構成される。第１の分圧抵抗Ｒ１は、一側が充電バッテリー１１０の接地端子１４０に連結されて、他側が中間端子１３０に連結される。第１の分圧抵抗Ｒ１と中間端子１３０との間の接続点の電圧Ｖａは、メイン制御部２０に連結する。第２の分圧抵抗Ｒ２は、一側が充電部２１０の電源端子２２０に連結されて、他側が中間端子２３０に連結される。第１の分圧抵抗Ｒ１と第２の分圧抵抗Ｒ２は、充電バッテリー１１０の中間端子１３０と充電部２１０の中間端子２３０とを介して直列連結される。本発明の第２の実施の形態では、複数の分圧抵抗を利用して構成したが、これに限定されるものではなく、携帯型電子装置バッテリーが充電装置に接続された状態を区別できるように、充電バッテリー１１０の電源端子１２０と接地端子１４０との間に第１の分圧抵抗Ｒ１を連結して構成する変形例を適用することもできる。
【００６９】
従って、携帯型電子装置を車両用充電装置２００に接続する場合、複数のバッテリー端子１２０、１３０、１４０と複数の充電端子２２０、２３０、２４０とが電気的に接続される。この際、第１の分圧抵抗Ｒ１と第２の分圧抵抗Ｒ２は、回路的に導通状態となる。これにより、接続点Ｖａの電圧レベルは、高くなる。このような場合、メイン制御部２０では、接続点Ｖａの電圧レベルにより、携帯型電子装置が車両充電装置２００に正しく接続されて充電が可能な状態と認識することにより、撮像部３０を作動させて、映像制御部７０を制御し、撮影を行う。この際、映像制御部７０は、撮影された映像データを先入先出ＦＩＦＯ方式により蓄積するように、映像データベース８０を制御する。
【００７０】
そして、映像データベース８０は、全体映像データを蓄積する第１の蓄積部８１と、衝撃感知部５０で衝撃や振動が検出されるか、またはイベントキー１１動作により、映像制御部７０の制御に従って該当映像データを蓄積する第２の蓄積部８２とに区別される。したがって、映像制御部７０では、映像データを映像データベース８０の第１の蓄積部８１に先入先出方式で蓄積し、衝撃感知部５０を通じて所定の衝撃や振動が感知され予め設定された条件に符合するか、ユーザーが手動でイベントキー１１を操作すると、メイン制御部２０の制御に従って、衝撃や振動が感知された時点（または手動でイベントキー１１が作動された時点）の映像データを第２の蓄積部８２に蓄積するようになる。
【００７１】
また、第２の蓄積部８２には、第１の蓄積部８１から、上記のような条件による信号が検出された現在時刻を基準に、予め設定された時間だけ以前の映像データから、所定時間以後までの映像データ、あるいは現在時刻を基準に、予め設定された時間だけ以前の映像データから、衝撃または振動が止まった時間までの映像データを抽出して、蓄積するようになる。
【００７２】
一方、車両用充電装置２００に接続されていた携帯型電子装置１００が充電装置２００から分離される場合、端子電圧検出器５００では、メイン制御部２０に出力する端子電圧レベルが低くなる。これにより、メイン制御部２０は、撮像部３０の作動を中断して、映像制御部７０を制御し、撮影された映像データの蓄積を中断するようになる。
【００７３】
このような本発明の第２の実施の形態による携帯型電子装置の自動撮影制御動作は、端子電圧検出器５００でバッテリー端子１２０、１３０、１４０の端子電圧レベルを検出し、メイン制御部２０に出力して、これを通じて端末バッテリー１００が車両充電装置２００に正しく接続されたのかを判断することを除いては、本発明の第１の実施の形態の制御動作と類似しているため、これに対する説明は、省略する。
【００７４】
即ち、本発明の第２の実施の形態においても、始動のかかった状態で車両バッテリー３２０に連結された車両充電装置２００に携帯型電子装置を接続すると、充電と同時に、自動に撮像部３０を作動させて外部状況を撮影し、撮影された映像データは、映像データベース８０に自動蓄積されて、事故の発生時、客観的な資料として活用することができる。
【００７５】
そして、携帯型電子装置が、事故衝撃またはユーザーの意図により車両充電装置２００から分離されると、撮影モードが自動的に中止されて、それまで撮影された映像データは、第１の蓄積部８１に蓄積される。
【００７６】
以下では、本発明の第３の実施の形態による携帯型電子装置の構成及び作用効果を図１４と図１５を参照し、詳細に説明する。本発明の第３の実施の形態による携帯型電子装置の構成の説明は、第１の実施の形態と同一な構成については同一符号を付して、簡略に説明する。
【００７７】
本発明の第３の実施の形態による携帯型電子装置は、充電のための端末バッテリーと、車両充電装置と電気的な接続を可能にする複数の端子とを備えている。したがって、携帯型電子装置を車両充電装置に接続する場合、端末バッテリーに備えられた充電端子及び接地端子と、車両充電装置に備えられた充電端子及び接地端子とは、相互電気的に接続される。
【００７８】
このような点に着眼して構成した本発明の第３の実施の形態による携帯型電子装置は、車両充電装置との電気接続状態を直ちに判断し、その判断にしたがって撮像部を駆動し、撮影映像を自動蓄積するようになる。
【００７９】
このために、本発明の第３の実施の形態による携帯型電子装置は、図１４に示したように、全般的な動作を制御するためのメイン制御部２０と、ユーザーから所定の命令を入力される入力部１０と、移動通信網と無線通信を行うための無線通信部６０と、映像を撮影するためにカメラを備えた撮像部３０と、この撮像部３０を通じて撮影された映像をイメージまたは動画として映像データベース８０に蓄積/管理する映像制御部７０と、各種制御のためのプログラム及びデータを蓄積するためのメモリー４０とを備えている。
【００８０】
また、本発明の第３の実施の形態による携帯型電子装置は、衝撃や振動を検出するための衝撃感知部５０と、入力部１０に設けられ、任意の映像を自動蓄積したい場合に手動で操作できるイベントキー１１と、端末バッテリー１００と充電装置２００との電気接続を検出して、その検出により、接続状態電圧をメイン制御部２０に出力する検出部６００とを特徴的に備える。
【００８１】
このような構成を有する本発明の第３の実施の形態による携帯型電子装置は、検出部６００で検出された結果により、撮像部３０を自動に作動させることができて、この撮像部３０を通じて撮影した映像データを映像データベース８０に蓄積/管理する動作を行うように構成されている。
【００８２】
そして、図１５に示したように、端末バッテリー１００は、充電バッテリー１１０と充電端子１２０及び接地端子１４０を備えて、車両充電装置２００は、充電部２１０と充電端子２２０及び接地端子２４０を備える。
【００８３】
充電端子１２０及び接地端子１４０と、充電端子２２０及び接地端子２４０とが接続する場合、充電部２１０から車両電源が充電バッテリー１１０に提供されて、これにより、充電端子１２０と接地端子１４０との間に端子電圧Ｖｔが形成される。
【００８４】
そして、検出部６００は、端末バッテリー１００側に備えられた検出端子６１０と、車両充電装置側に備えられた検出端子６２０と、検出端子６１０に連結された抵抗６３０とを含む。ここで、抵抗６３０は、端末バッテリー１００側検出端子６１０に連結して構成する変形も可能である。また、車両充電装置２００の種類によって抵抗６３０の抵抗値を異ならせると、それにより接続状態電圧が変化するため、接続状態電圧により、車両充電装置の種類を区分することができる。
【００８５】
このような構成により、検出部６００の２つの検出端子６１０、６２０が電気接続されると、接続状態電圧Ｖ１１がメイン制御部２０に印加される。そして、メイン制御部２０では、接続状態電圧Ｖ１１と、設定された基準電圧とを比較し、２つの検出端子６１０、６２０の接続状態を認識する。
【００８６】
一方、車両の始動がオフされて、充電部２１０から車両電源を出力しなくても、充電バッテリー１１０の充電電源が提供できれば、接地端子１４０、２４０の接続と、検出部６００は検出端子６１０、６２０の接続により、接続状態電圧Ｖ１１が出力される。即ち、検出部６００は、車両充電装置２００から提供する車両電源とは独立的に、接続状態電圧をメイン制御部２０に出力する。
【００８７】
即ち、携帯型電子装置を車両充電装置２００に接続すると、端末バッテリー１００の充電端子１２０及び接地端子１４０が充電装置２００の充電端子２２０及び接地端子２４０に電気的に接続される。
【００８８】
この際、車両充電装置２００の充電部２１０は、車両バッテリー３２０から提供される車両電源を、充電端子２２０と接地端子２４０とを通じて出力して、これにより端末バッテリー１００の充電バッテリー１１０は、充電端子１２０と接地端子１４０とを通じて充電電源を提供され、充電作用がなされるようにする。なお、検出部６００は、検出端子９１、９２の電気接続により、接続状態電圧をメイン制御部２０に出力する。
【００８９】
したがって、メイン制御部２０は、接続状態電圧と、設定された基準電圧とを比較し、接続状態電圧が、設定された基準電圧より大きいと、端末バッテリー１００と車両充電装置２００との電気接続が正しくなって充電ができる状態と認識し、撮像部３０を作動させて、映像制御部７０を制御し、撮影を行う。
【００９０】
この際、映像制御部７０は、撮影された映像データを先入先出ＦＩＦＯ方式で蓄積するように、映像データベース８０を制御する。このような映像データベース８０は、全体映像データを蓄積する第１の蓄積部８１と、衝撃感知部５０で衝撃や振動が検出されるか、またはイベントキー１１動作により、映像制御部７０の制御に従って該当映像データを蓄積する第２の蓄積部８２とに区別される。したがって、映像制御部７０では、映像データを映像データベース８０の第１の蓄積部８１に先入先出方式で蓄積し、衝撃感知部５０を通じて所定の衝撃や振動が感知され予め設定された条件に符合するか、ユーザーが手動でイベントキー１１を操作すると、メイン制御部２０の制御に従って、衝撃や振動が感知された時点（または手動でイベントキー１１が作動された時点）の映像データを第１の蓄積部８１から読み出し、第２の蓄積部８２に別途蓄積することができる。
【００９１】
一方、車両用充電装置２００から携帯型電子装置が分離される場合、検出部６００からメイン制御部２０に出力する接続状態電圧は、基準電圧より低くなる。これにより、メイン制御部２０では、撮像部３０の作動を中断し、映像制御部７０を制御して、撮影された映像データの蓄積を中断することができる。
【００９２】
このように構成された本発明の第３の実施の形態による携帯型電子装置の自動撮影制御動作も、検出部６００で、車両充電装置２００と端末バッテリー１００との電気接続に従って接続状態電圧を検出し、メイン制御部２０に出力して、これを通じて、端末バッテリー１００が車両充電装置２００に正しく接続されたのかを判断することを除いては、本発明の第１の実施の形態の制御動作と類似しているため、これに対する説明は、省略する。
【図面の簡単な説明】
【００９３】
【図１】本発明の第１の実施の形態に係る移動通信端末が車両充電装置に接続された状態を示した図である。
【図２】本発明の第１の実施の形態に係る携帯型電子装置の概略的なブロック構成図である。
【図３】本発明の第１の実施の形態に係る携帯型電子装置の電圧検出部ブロック構成図である。
【図４】本発明の第１の実施の形態に係る携帯型電子装置の電圧検出部回路図である。
【図５】本発明の第１の実施の形態に係る携帯型電子装置の電圧検出部において、電源ノイズを検出する過程を説明するためのグラフである。
【図６】本発明の第１の実施の形態に係る携帯型電子装置の電圧検出部において、電源ノイズを検出する過程を説明するためのグラフである。
【図７】本発明の第１の実施の形態に係る携帯型電子装置の電圧検出部において、電源ノイズを検出する過程を説明するためのグラフである。
【図８】本発明の第１の実施の形態に係る携帯型電子装置の電圧検出部において、電源ノイズを検出する過程を説明するためのグラフである。
【図９】本発明の第１の実施の形態に係る携帯型電子装置の電圧検出部において、電源ノイズを検出する過程を説明するためのグラフである。
【図１０】本発明の第１の実施の形態に係る携帯型電子装置の電圧検出部において、電源ノイズを検出する過程を説明するためのグラフである。
【図１１】本発明の第１の実施の形態に係る携帯型電子装置の動作を説明するためのフロー図である。
【図１２】本発明の第２の実施の形態に係る携帯型電子装置の構成を概略的に示したブロック図である。
【図１３】本発明の第２の実施の形態に係る携帯型電子装置の端子電圧検出器の構成を示した回路図である。
【図１４】本発明の第３の実施の形態に係る携帯型電子装置の構成を概略的に示したブロック図である。
【図１５】本発明の第３の実施の形態に係る電圧検出部の構成を示した回路図である。
【図１】
2008512743.tif 000003
【図２】
2008512743.tif 000004
【図３】
2008512743.tif 000005
【図４】
2008512743.tif 000006
【図５】
2008512743.tif 000007
【図６】
2008512743.tif 000008
【図７】
2008512743.tif 000009
【図８】
2008512743.tif 000010
【図９】
2008512743.tif 000011
【図１０】
2008512743.tif 000012
【図１１】
2008512743.tif 000013
【図１２】
2008512743.tif 000014
【図１３】
2008512743.tif 000015
【図１４】
2008512743.tif 000016
【図１５】
2008512743.tif 000017
【国際調査報告】
2008512743.tif 000018
2008512743.tif 000019